(57)【要約】【課題】ＰＯＮシステムにおいて、ＯＬＴに対して正常に登録されて通信していたＯＮＵに、光ファイバ抜去等による一時的なＰＯＮリンク断が発生した場合、ＯＬＴへの登録待ち状態のＯＮＵが他にあったとしても、前記ＰＯＮリンク断が復旧した後に、元々通信していたＯＮＵが通信復旧できるようにする。【解決手段】ＯＬＴ１は、ＯＮＵの登録状態を記録した登録履歴データベース１０を保持し、登録要求のあったＯＮＵについて、前記登録履歴データベース１０を参照して、新規ＯＮＵ６であるのか過去に登録済みでサービス復旧のために優先的に再登録すべきＯＮＵ２であるのかを判定後、登録許可または登録不許可の処理を行う。【選択図】図４
2012124688.tif 000002
【特許請求の範囲】
【請求項１】
複数の加入者側終端装置と、前記複数の加入者側終端装置との間で通信リンクを確立する局側終端装置とを備えたＰＯＮシステムにおいて、
前記局側終端装置は、前記複数の加入者側終端装置それぞれの識別番号、固有番号及び登録履歴情報を記憶した登録履歴データベースを有し、
前記局側終端装置が、前記登録履歴データベースに基づいて前記加入者側終端装置の登録、削除及び再登録の処理を行うことを特徴とする通信制御方法。
【請求項２】
前記登録履歴データベースは、前記加入者側終端装置の登録時刻情報及び登録削除に関する時刻情報をさらに備えることを特徴とする請求項１記載の通信制御方法。
【請求項３】
前記登録履歴データベースは、前記加入者側終端装置の優先再登録時刻情報をさらに備えることを特徴とする請求項２記載の通信制御方法。
【発明の詳細な説明】
【技術分野】
【０００１】
この発明は、光分岐器を介して通信を行う局側終端装置であるＯＬＴ（Optical Line Terminal）と、ＯＬＴの分岐先に接続される複数の加入者側終端装置であるＯＮＵ（Optical Network Unit）とにより構成される光通信ネットワーク、特にＰＯＮ（Passive Optical Network）システムの通信制御方法に関するものである。
【背景技術】
【０００２】
一般家庭等の加入者宅側を対象とした加入者系光ファイバネットワークシステムとして、局舎側に設置した局側終端装置であるＯＬＴと、複数の加入者宅側に設置した加入者側終端装置であるＯＮＵを光ファイバで接続するシステムのうち、局舎側のＯＬＴに接続された１本の光ファイバを、光分岐器で複数本に分岐し、分岐先に各加入者宅側のＯＮＵを接続する方式をＰＯＮ方式と呼ぶ。この方式は、伝送路途中に中継装置等を設けることなく、複数のＯＮＵに対して高速のデータ伝送を行うことが可能な方式として実用化されている。
【０００３】
このＰＯＮ方式を用いたＰＯＮシステムでは、１つのＯＬＴと複数のＯＮＵとを、光スターカプラなどのパッシブな光分岐器で接続することにより光通信を行う。ＰＯＮシステムの制御は、ＩＥＥＥ８０２．３にて標準化されている。ＯＬＴからＯＮＵへの下り信号は、１本の幹線光ファイバを介して前記光分岐器まで送信され、該光分岐器で分岐された後、支線光ファイバを介して全てのＯＮＵに送信される。また、ＯＮＵからＯＬＴへの上り信号は、各ＯＮＵから各支線光ファイバを介して前記光分岐器へ送信され、該光分岐器から１本の幹線光ファイバを介してＯＬＴへ送信される。ここで、ＯＮＵからＯＬＴへの上り信号に関して、複数のＯＮＵが一斉に信号を送信すると、各ＯＮＵから送信された信号同士の干渉が発生し、ＯＬＴ側で正しく信号を受信することができなくなる。
【０００４】
前記信号の干渉を防止するため、各ＯＮＵからＯＬＴへ送信される上り信号は、限られた帯域の中で時分割送信する必要がある。そこで、予め各ＯＮＵを識別するための識別番号であるＬＬＩＤ（Ｌｏｇｉｃａｌ Ｌｉｎｋ ＩＤ）という識別子を各ＯＮＵに付与し、該ＬＬＩＤを用いて各ＯＮＵに対し信号の送信タイミングを通知するようにしている。また、ＯＬＴから各ＯＮＵへ送信される下り信号に関しても、１本の幹線光ファイバから送信された信号は光分岐器で分岐されて全てのＯＮＵに送信される。各ＯＮＵでは、送信される信号に収容されたＬＬＩＤを読み取り、該ＬＬＩＤが自己のＬＬＩＤと一致すれば信号を取り込み、一致しない場合は信号を廃棄する処理を行う。
【０００５】
ここで、ＩＥＥＥ８０２．３標準では、ＯＬＴは常に新しいＯＮＵを発見する準備のためにＤｉｓｃｏｖｅｒｙＧＡＴＥ信号をブロードキャスト方式で一斉に全ＯＮＵへ送信する。ＤｉｓｃｏｖｅｒｙＧＡＴＥ信号は、ＬＬＩＤが付与されていないＯＮＵ（以下、未登録ＯＮＵ）に対して信号の送信タイミングを通知する信号である。ＯＮＵは、信号同士の干渉を防止するため、ＯＬＴからのＧＡＴＥ（ＤｉｓｃｏｖｅｒｙＧＡＴＥ、ＧｒａｎｔＧＡＴＥなど）信号を受信しない限り、ＯＮＵ側から信号を送信しない設定となっている。
【０００６】
次に、ＤｉｓｃｏｖｅｒｙＧＡＴＥ信号を受信した未登録ＯＮＵはＲｅｇｉｓｔｅｒＲｅｑｕｅｓｔ信号を送信し、登録の要求、すなわちＬＬＩＤの付与を要求する。そして、該要求を受けたＯＬＴは、未登録ＯＮＵに対しＲｅｇｉｓｔｅｒ信号を送信し、ＬＬＩＤを付与する。また、ＯＬＴは、付与したＬＬＩＤを含むＧｒａｎｔＧＡＴＥ信号を該当ＯＮＵにユニキャスト方式で個別に通知する。ＧｒａｎｔＧＡＴＥ信号は他のＯＮＵとのデータの混み具合を見ながら、送信帯域と送信タイミングを通知している。ＯＮＵはＧｒａｎｔＧＡＴＥ信号を受信するとＲｅｇｉｓｔｅｒＡｃｋ信号を送信して、ＧｒａｎｔＧＡＴＥ信号を受信したことをＯＬＴに通知する。以上により、ＯＬＴとＯＮＵの通信リンクが確立される。
【先行技術文献】
【非特許文献】
【０００７】
【非特許文献１】ＩＥＥＥ（Institute of Electrical and Electronics Engineers）８０２．３−２００５  ｓｅｃｔｉｏｎ  ５
【発明の概要】
【発明が解決しようとする課題】
【０００８】
しかしながら、従来のＰＯＮシステムでは、ＯＬＴの１つのＰＯＮインタフェースに登録可能な上限台数のＯＮＵが正常に登録され通信している状態において、そのＰＯＮインタフェースに追加で新規ＯＮＵを接続しても、ＯＬＴ側に登録できる空きが無い為、そのＯＮＵはＯＬＴに登録されず登録待ち状態となっていた。そしてこのとき、正常に登録されて通信を行っていたＯＮＵに光ファイバ抜去等による一時的なＰＯＮリンク断が発生すると、当該ＯＮＵのＯＬＴでの登録が削除されるとともに、登録待ち状態となっていたＯＮＵが新しくＯＬＴに登録されるようになっていた。その結果、再度、ＯＬＴ側に登録できる空きが無い状態となり、元々通信していたＯＮＵは、ＰＯＮリンク断が復旧してもＯＬＴに再登録されず、通信復旧できないという課題があった。
【課題を解決するための手段】
【０００９】
上記課題を解決するために、この発明は、複数の加入者側終端装置と、前記複数の加入者側終端装置との間で通信リンクを確立する局側終端装置とを備えたＰＯＮシステムにおいて、前記局側終端装置は、前記複数の加入者側終端装置それぞれの識別番号、固有番号及び登録履歴情報を記憶した登録履歴データベースを有し、前記局側終端装置が、前記登録履歴データベースに基づいて前記加入者側終端装置の登録、削除及び再登録の処理を行うことを特徴とする。
【発明の効果】
【００１０】
この発明によれば、局側終端装置（ＯＬＴ）が登録履歴データベースを参照して、登録要求のあった加入者側終端装置（ＯＮＵ）が新規ＯＮＵであるのかＰＯＮリンク断により一時的に登録を削除されているものであるのか等を判定後、その一時的に登録を削除されているＯＮＵをサービス復旧のために優先的に再登録することにより、従来では元々通信していたＯＮＵが通信復旧できなかったという問題を解決し、ＰＯＮシステムにおける通信サービス品質を向上させることができる。
【図面の簡単な説明】
【００１１】
【図１】ＰＯＮシステムの構成を示す概略図である。
【図２】従来の通信制御方法の概略を示すフローチャートである。
【図３】従来の通信制御方法の概略を示す図である。
【図４】実施の形態１に係る通信制御方法の概略及び登録履歴データベースを示す図である。
【図５】実施の形態１に係る通信制御方法の概略を示すフローチャートである。
【図６】実施の形態２に係る通信制御方法における登録履歴データベースを示す図である。
【発明を実施するための形態】
【００１２】
実施の形態１．
図１は、ＰＯＮシステムの構成例を示す概略図である。ＰＯＮシステムは、図１に示すように、局側の終端装置であるＯＬＴ１と、加入者側終端装置である複数のＯＮＵ２及びＯＮＵ６と、ＯＬＴ１とＯＮＵ２及びＯＮＵ６とを１本の幹線光ファイバ３及び複数の支線光ファイバ５を介して接続する光分岐器４から構成されている。
【００１３】
ＯＬＴ１はＰＯＮインタフェースに接続された複数のＯＮＵ２と通信するため、予め各ＯＮＵ２に対して識別番号であるＬＬＩＤを付与し、登録済みＯＮＵとして、ＯＬＴ１上の管理テーブルにＯＮＵ自体が持つ固有番号、例えばＭＡＣアドレスをＬＬＩＤとともに登録する。ここで、ＯＬＴ１の１つのＰＯＮインタフェースに登録可能なＯＮＵの台数には制限があるため、登録可能台数の上限値までのＯＮＵ２は、支線光ファイバ５を介して接続されているだけではなくＬＬＩＤを付与されてＯＬＴ１に登録され、通信できる状態となるが、上限値を超えた分のＯＮＵ６は登録待ち状態となり、常に登録要求をすることになる。
【００１４】
図２は、このＰＯＮシステムにおける、従来の通信制御方法の概略を示すフローチャートである。ＰＯＮシステムにおいて、１つのＯＬＴと複数のＯＮＵが通信するためには、ＯＮＵをＯＬＴ１に登録することが必要である。そこで、まず初めに、ＯＬＴ１が新しいＯＮＵを発見する準備のためにＤｉｓｃｏｖｅｒｙＧＡＴＥ信号をブロードキャスト方式で一斉に全ＯＮＵへ送信し、それに対しＯＮＵ２及びＯＮＵ６のうちＯＬＴ１に登録されていないＯＮＵからＲｅｇｉｓｔｅｒＲｅｑｕｅｓｔ信号による登録要求があるか否かを検出する（ステップＳＴ２１）。
【００１５】
次に、ＯＬＴ１に登録されているＯＮＵ２が登録可能台数の上限値を超えたか否かを判定し（ステップＳＴ２２）、まだ上限値を超えていない場合には、登録要求のあったＯＮＵに対してＬＬＩＤを付与して登録を許可する（ステップＳＴ２３）。一方、ステップＳＴ２２において、ＯＮＵが登録可能台数の上限値を超えていると判定された場合には、当該登録要求のあったＯＮＵを登録不許可とする（ステップＳＴ２４）。この結果、ＯＬＴ１の１つのＰＯＮインタフェースに登録可能な台数を超える分のＯＮＵが光ファイバを介して接続されていると、登録可能台数の上限値までのＯＮＵ２はＯＬＴ１に登録されて通信できる状態となるが、上限値を超える分のＯＮＵ６は登録待ち状態となり、常に登録要求をすることになる。
【００１６】
図３は、従来の通信制御方法の概略を示す図である。この図３のように、従来では、登録可能台数の上限値までＯＮＵ２が登録され通信している状態において、ある登録済みＯＮＵ２に光ファイバ抜去等による一時的なＰＯＮリンク断が発生すると、当該ＯＮＵ２はＯＬＴ１での登録が削除される。その結果、ＯＬＴ１に登録されているＯＮＵ２の台数が登録可能台数に満たなくなり、登録台数に空きがある状態となるため、登録待ち状態となっていたＯＮＵ６からの新規登録要求を受信したＯＬＴ１は、無条件にその登録要求のあったＯＮＵに対してＬＬＩＤを付与し、登録を許可していた。
【００１７】
一方、図４は、実施の形態１に係る通信制御方法の概略及び登録履歴データベースを示す図である。ＯＬＴ１は、予め各ＯＮＵ２に対して識別番号であるＬＬＩＤを付与し、登録済みＯＮＵとして、ＯＬＴ１上の管理テーブルである登録履歴データベース１０に、ＯＮＵ自体が持つ固有番号（例えば、ＭＡＣアドレス）をＬＬＩＤとともに登録する。この際、各ＯＮＵのＬＬＩＤ及びＭＡＣアドレスに対応させて、当該ＯＮＵの登録状態（登録中、削除中、等）を示す登録履歴情報も登録する。
【００１８】
そして、従来と同様に、ＯＬＴ１には同時に通信できるＯＮＵ２の台数に制限があるため、ＯＬＴ１は、その台数の上限値までのＯＮＵ２に対してＬＬＩＤの付与及びＯＮＵ登録を実施する。ここで、登録可能台数の上限値までＯＮＵ２が登録され通信している状態において、ある登録済みＯＮＵ２に光ファイバ抜去等による一時的なＰＯＮリンク断が発生すると、当該ＯＮＵ２はＯＬＴ１での登録が削除される。その結果、ＯＬＴ１に登録されているＯＮＵ２の台数が登録可能台数に満たなくなり、登録台数に空きがある状態となるが、この状態のときに、ＯＬＴ１が、登録待ち状態となっていたＯＮＵ６からの新規登録要求を受信した場合には、登録履歴データベース１０を参照することにより、登録要求のあったＯＮＵが過去に登録されていたＯＮＵであって一時的に登録を削除されているものであるか否かを判定し、過去に登録されていたＯＮＵではなく新規ＯＮＵであることを確認すると、その登録要求のあった新規ＯＮＵを登録不許可とする。
【００１９】
図５は、実施の形態１に係る通信制御方法の概略を示すフローチャートである。まず初めに、従来と同様に、ＯＬＴ１が新しいＯＮＵを発見する準備のためにＤｉｓｃｏｖｅｒｙＧＡＴＥ信号をブロードキャスト方式で一斉に全ＯＮＵへ送信し、それに対しＯＮＵ２及びＯＮＵ６のうちＯＬＴ１に登録されていないＯＮＵからＲｅｇｉｓｔｅｒＲｅｑｕｅｓｔ信号による登録要求があるか否かを検出する（ステップＳＴ５１）。
【００２０】
次に、登録履歴データベース１０の中に、既登録で削除中のＯＮＵがあるか否かをチェックし（ステップＳＴ５２）、登録履歴データベース１０の中に既登録で削除中のＯＮＵがなければ、従来どおりの登録作業を行うため、ＯＮＵ登録可能台数の上限値を超えたか否かを判定する（ステップＳＴ５３）。そして、ＯＮＵ登録可能台数の上限値をまだ超えていない場合には、登録要求のあったＯＮＵに対してＬＬＩＤを付与して登録を許可し（ステップＳＴ５４）、一方、超えていると判定された場合には、登録不許可とする（ステップＳＴ５５）。
また、前記ステップＳＴ５２において、登録履歴データベース１０の中に既登録で削除中のＯＮＵがあると判断された場合には、今回の登録要求が、既登録で削除中のＯＮＵ（すなわち、過去に登録されていたＯＮＵであって、ＰＯＮリンク断等により一時的に登録を削除されているもの）からの要求か否かを判定する（ステップＳＴ５６）。
【００２１】
このステップＳＴ５６において、今回の登録要求が既登録で削除中のＯＮＵからのものではない（すなわち、新規ＯＮＵからのものである）と判定された場合には、今回の登録によりＯＮＵ登録可能台数の上限値に達するか否かを判断し（ステップＳＴ５７）、上限値に達してしまう場合には、既登録で削除中のＯＮＵがＰＯＮリンク復旧後に再登録されて通信復旧することができるように、今回登録要求のあった新規ＯＮＵを登録不許可とする（ステップＳＴ５５）。一方、前記ステップＳＴ５７において、上限値に達しないと判断された場合には、新規ＯＮＵを登録しても通信できるＯＮＵの台数にまだ空きがあり、既登録で削除中のＯＮＵがＰＯＮリンク復旧後に再登録されて通信復旧することができるので、今回登録要求のあった新規ＯＮＵに対してＬＬＩＤを付与して登録を許可する（ステップＳＴ５４）。
また、前記ステップＳＴ５６において、今回の登録要求が既登録で削除中のＯＮＵからのものであり、当該ＯＮＵがＰＯＮリンク断等により一時的に登録を削除されているものであると判定された場合には、当該ＯＮＵを再登録する（ステップＳＴ５８）。
【００２２】
以上のように、この発明の実施の形態１によれば、ＯＬＴ１が登録履歴データベース１０を参照して、登録要求のあったＯＮＵが新規ＯＮＵであるのかＰＯＮリンク断等により一時的に登録を削除されているものであるのか、及び、新規ＯＮＵであった場合には他に一時的に登録を削除されているＯＮＵがあるか否かを判定後、その一時的に登録を削除されているＯＮＵをサービス復旧のために優先的に再登録することにより、ＰＯＮシステムにおける通信サービス品質を向上させることができる。
【００２３】
実施の形態２．
図６は、実施の形態２に係る通信制御方法における登録履歴データベース１１を示す図である。この登録履歴データベース１１は、実施の形態１における登録履歴データベース１０に加えて、登録時刻、登録削除時刻、優先再登録期限時刻等、ＯＮＵの登録及び登録削除に関する時刻情報を保持したものである。この登録時刻、登録削除時刻及び優先再登録期限時刻それぞれの情報の目的及び使用例を以下に説明する。
【００２４】
登録時刻の情報は、そのＯＮＵをＯＬＴ１に登録した時刻を示す。この登録時刻の情報を、登録削除時刻の情報と組み合わせることにより、各ＯＮＵの登録継続時間を算出することができ、また、各ＯＮＵごとにその登録継続時間を積算しておくことにより、累計の登録時間を得ることができるため、各ＯＮＵの利用期間の管理に使用することが可能となる。
【００２５】
登録削除時刻の情報は、一度ＯＬＴ１に登録されていたＯＮＵが何らかの理由によりＯＬＴ１から登録削除された場合、その削除時刻を記録しておくものである。この登録削除時刻を現在時刻と比較することにより、登録削除が最近行われたのか、それとも登録削除からかなりの時間が経過しているのか等を、別途定めた閾値を基準にして判断することができる。この結果、過去に登録削除されたＯＮＵから再度登録の要求があった場合に、例えば、最近登録削除されたものから優先的に再登録するという制御を行うことにより、ＰＯＮシステム全体の通信サービス品質を向上させることが可能となる。また、複数のＯＮＵから登録要求があり登録台数の空きが足りずに競合した場合に、いずれのＯＮＵを登録するかの判断をするためにこの情報を使用してもよい。
また、登録削除からかなりの時間が経過しているものについては、別途定めた閾値を基準にして、登録削除からの経過時間がその閾値を超えたら再登録の優先権を無くし、新規ＯＮＵに登録台数の空きを解放するようにしてもよい。
【００２６】
優先再登録期限時刻の情報は、一度ＯＬＴ１に登録されていたＯＮＵが登録削除された後、再度登録要求をした場合に、他のＯＮＵより優先的に再登録される期限を設定し記録しておくものである。これにより、一時的なＰＯＮリンク断により登録削除された場合にすぐ再登録できるようにし、サービス断時間を可能な限り短縮することでＰＯＮシステムの通信サービス品質をより向上させることができる。また、登録履歴データベース１１の中に、一時的に登録削除されており優先再登録期限時刻が来ていないＯＮＵがある場合には、新規ＯＮＵの登録を待たせるという制御を行うことにより、すぐに再登録できるＯＮＵの登録台数の空きを確保することが可能となる。優先再登録期限時刻が過ぎれば、再登録の優先権を無くし、新規ＯＮＵに登録台数の空きを開放する。
【００２７】
以上のように、この発明の実施の形態２によれば、一時的なＰＯＮリンク断によるＯＮＵの登録削除からの復旧を確実に行うことができるとともに、新規ＯＮＵの登録も効率的に行うことができ、ＰＯＮシステムにおける通信サービス品質をより向上させることができる。
【００２８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２９】
１  ＯＬＴ（局側終端装置）、２，６  ＯＮＵ（加入者側終端装置）、３  幹線光ファイバ、４  光分岐器、５  支線光ファイバ、１０，１１  登録履歴データベース。
【図１】
2012124688.tif 000003
【図２】
2012124688.tif 000004
【図３】
2012124688.tif 000005
【図４】
2012124688.tif 000006
【図５】
2012124688.tif 000007
【図６】
2012124688.tif 000008